(57)【要約】      （修正有）【課題】従来、民間施設及び病院等の公共施設で不十分であった乳幼児用の手洗いを簡単に実現する乳幼児保持器具及びこれを備えたトイレ等の施設を提供する。【解決手段】(A)背部２２と座部２４と手摺り枠２６と股ガード２８とを備えてなる乳幼児保持器具２０と(B)前記乳幼児保持器具を支持する支持体４０とを含み、前記支持体は前記乳幼児保持器具を第一の位置と第二の位置、及びその間において可動的に支持する乳幼児保持装置。【選択図】図１
2010279613.tif 000002
【特許請求の範囲】
【請求項１】
(A)背部と座部と手摺り枠と股ガードとを備えてなる乳幼児保持器具と(B)前記乳幼児保持器具を支持する支持体とを含み、前記支持体は前記乳幼児保持器具を第一の位置と第二の位置、及びその間において可動的に支持することを特徴とする乳幼児保持装置。
【請求項２】
前記乳幼児保持器具の乳幼児保持部分が前記第二の位置において回動可能に支持されている請求項１に記載の乳幼児保持装置。
【請求項３】
前記第一の位置が乳幼児保持装置の収納位置であり、前記第二の位置が洗面台近傍である、乳幼児の手洗いを補助するための請求項１または２に記載の乳幼児保持装置。
【請求項４】
前記支持体が支持枠と支持脚部を有し、前記乳幼児保持器具及びこれに載る乳幼児の重量の大部分が前記支持脚部を介して床面で支えられるとともに、支持脚部の動きは前記支持枠内の案内手段によって案内される請求項１〜３のいずれかに記載の乳幼児保持装置。
【請求項５】
前記支持脚部が支持枠側（裏側）とその反対側（表側）に分割されており、表側部分は裏側部分に蝶番構造により軸支されるとともに前記乳幼児保持器具をその上に支持し、表側部分を前記軸の回りに回転させることにより前記乳幼児保持器具を洗面台近傍において回転させる請求項４に記載の乳幼児保持装置。
【請求項６】
前記支持体が支持枠と支持腕部を有し、支持腕部は一方の端が前記乳幼児保持器具をその上に支持し他方の端が前記支持枠内の案内手段によって支持されており、前記乳幼児保持器具及びこれに載る乳幼児の重量の大部分が前記支持腕部を介して支持枠で支えられるとともに、支持腕部の動きは前記支持枠内の案内手段によって案内される請求項１〜３のいずれかに記載の乳幼児保持装置。
【請求項７】
前記乳幼児保持器具を構成する背部と座部が、表面に露出している乳幼児保持部分（表側）と支持枠側（裏側）に分割されており、表側部分は一体となって裏側部分に蝶番構造により軸支され、表側部分を前記軸の回りに回転させることにより前記乳幼児保持器具を洗面台近傍において回転させる請求項６に記載の乳幼児保持装置。
【請求項８】
前記支持体が支持枠と懸垂手段を有し、懸垂手段は一方の端が前記乳幼児保持器具をその上に支持し他方の端が前記支持枠内の案内手段によって支持されており、前記乳幼児保持器具及びこれに載る乳幼児の重量の大部分が前記懸垂手段を介して支持枠で支えられるとともに、懸垂手段の動きは前記支持枠内の案内手段によって案内される請求項１〜３のいずれかに記載の乳幼児保持装置。
【請求項９】
前記支持体が支持脚部を有し、前記乳幼児保持器具及びこれに載る乳幼児の重量の大部分が前記支持脚部を介して床面で支えられるとともに、支持脚部の動きは床面または壁面から延長して支持脚部に連結した繋留手段によって規制される請求項１〜３のいずれかに記載の乳幼児保持装置。
【請求項１０】
前記支持体が支柱とこれに連結した支持枠とを有し、前記支持体は支柱を中心とした軸回転により、前記乳幼児保持器具を第一の位置と第二の位置、及びその間において可動的に支持する請求項１〜３のいずれかに記載の乳幼児保持装置。
【請求項１１】
請求項１〜１０のいずれかに記載の乳幼児保持装置を備えていることを特徴とする衛生施設。
【発明の詳細な説明】
【技術分野】
【０００１】
本発明は、乳幼児保持装置、特に乳幼児の手を洗浄する際に乳幼児を保持する装置及びこれを有する衛生施設に関する。
【背景技術】
【０００２】
乳幼児のいる家庭では、百貨店やショッピングセンター等の民間施設及び病院等の公共施設に、母親や父親等が子供を連れて訪れる場合も多い。このため、比較的若い世帯を含む住宅地が商圏・利用圏内にある施設では、乳幼児用のトイレやケアルーム等を設けることが必須の条件となりつつある。
【０００３】
しかし、こうしたトイレやケアルームでは乳幼児の排泄物の処理をした親が不用意に子供の服や施設の器具に手を触れ、乳幼児がそうした汚染部位に触る可能性も高い。また、人の出入りの多い施設は環境中に雑菌も多い。さらに、乳幼児は手指を舐める行動をとることも多いため、乳幼児の手を常に清潔に保つことは極めて重要である。
【０００４】
しかし、洗面台等で乳幼児の手を洗う必要性は未だほとんど考慮されていない。洗面台に向かって乳幼児を抱え持ち、乳幼児の手を洗うことも考えられるが、この場合、片手で乳幼児を抱えることになるので無理な体勢となり乳幼児がずり落ちたり、乳幼児ごと転倒する危険がある。殊にトイレ等では床が硬質のタイル張りのため、このような事故は重大な結果を招く。このため、現状では乳幼児の手洗いはほとんど行われず、ウェットティッシュ等で乳幼児の手を拭って済ませているのが実情である。
【発明の概要】
【発明が解決しようとする課題】
【０００５】
本発明は、従来、民間施設及び病院等の公共施設で不十分であった乳幼児用の手洗いを簡単に実現する乳幼児保持器具及びこれを備えたトイレ等の施設を提供することを課題とする。
【課題を解決するための手段】
【０００６】
本発明者は、上記課題の解決のために種々検討を重ねた結果、乳幼児を安全に保持する椅子状器具を洗面台近傍に接近可能に設けることにより上記課題が解決できることを見出し、本発明を完成するに至った。
【０００７】
具体的には、本発明は以下の装置及び施設を提供する。
［１］  (A)背部と座部と手摺り枠と股ガードとを備えてなる乳幼児保持器具と(B)前記乳幼児保持器具を支持する支持体とを含み、前記支持体は前記乳幼児保持器具を第一の位置と第二の位置、及びその間において可動的に支持することを特徴とする乳幼児保持装置。
［２］  前記乳幼児保持器具の乳幼児保持部分が前記第二の位置において回動可能に支持されている前記１に記載の乳幼児保持装置。
［３］  前記第一の位置が乳幼児保持装置の収納位置であり、前記第二の位置が洗面台近傍である、乳幼児の手洗いを補助するための前記１または２に記載の乳幼児保持装置。
［４］  前記支持体が支持枠と支持脚部を有し、前記乳幼児保持器具及びこれに載る乳幼児の重量の大部分が前記支持脚部を介して床面で支えられるとともに、支持脚部の動きは前記支持枠内の案内手段によって案内される前記１〜３のいずれかに記載の乳幼児保持装置。
［５］  前記支持脚部が支持枠側（裏側）とその反対側（表側）に分割されており、表側部分は裏側部分に蝶番構造により軸支されるとともに前記乳幼児保持器具をその上に支持し、表側部分を前記軸の回りに回転させることにより前記乳幼児保持器具を洗面台近傍において回転させる前記４に記載の乳幼児保持装置。
［６］  前記支持体が支持枠と支持腕部を有し、支持腕部は一方の端が前記乳幼児保持器具をその上に支持し他方の端が前記支持枠内の案内手段によって支持されており、前記乳幼児保持器具及びこれに載る乳幼児の重量の大部分が前記支持腕部を介して支持枠で支えられるとともに、支持腕部の動きは前記支持枠内の案内手段によって案内される前記１〜３のいずれかに記載の乳幼児保持装置。
［７］  前記乳幼児保持器具を構成する背部と座部が、表面に露出している乳幼児保持部分（表側）と支持枠側（裏側）に分割されており、表側部分は一体となって裏側部分に蝶番構造により軸支され、表側部分を前記軸の回りに回転させることにより前記乳幼児保持器具を洗面台近傍において回転させる前記６に記載の乳幼児保持装置。
［８］  前記支持体が支持枠と懸垂手段を有し、懸垂手段は一方の端が前記乳幼児保持器具をその上に支持し他方の端が前記支持枠内の案内手段によって支持されており、前記乳幼児保持器具及びこれに載る乳幼児の重量の大部分が前記懸垂手段を介して支持枠で支えられるとともに、懸垂手段の動きは前記支持枠内の案内手段によって案内される前記１〜３のいずれかに記載の乳幼児保持装置。
［９］  前記支持体が支持脚部を有し、前記乳幼児保持器具及びこれに載る乳幼児の重量の大部分が前記支持脚部を介して床面で支えられるとともに、支持脚部の動きは床面または壁面から延長して支持脚部に連結した繋留手段によって規制される前記１〜３のいずれかに記載の乳幼児保持装置。
［１０］  前記支持体が支柱とこれに連結した支持枠とを有し、前記支持体は支柱を中心とした軸回転により、前記乳幼児保持器具を第一の位置と第二の位置、及びその間において可動的に支持する前記１〜３のいずれかに記載の乳幼児保持装置。
［１１］  前記１〜１０のいずれかに記載の乳幼児保持装置を備えていることを特徴とする衛生施設。
【発明の効果】
【０００８】
本発明は、従来、民間施設及び病院等の公共施設で不十分であった乳幼児用の手洗いを簡単に実現することができる。
【図面の簡単な説明】
【０００９】
【図１】本発明の第一の実施形態における本発明の装置の使用態様を示す概略図（Ａは第一の位置（収納位置）、Ｂは移動中、Ｃは第二の位置（手洗い位置）を示す）。
【図２】本発明の第一の実施形態における本発明の装置の使用態様を示す概略図（左側の図は第二の位置（手洗い位置）における回転前の状態を示し、図１Ｃと同じ図であり、右側の図は回転後の状態を示す）。
【図３】乳幼児保持器具の一例を示す概略図（Ａは折り畳み時、Ｂは展開時の状態を示す）。
【図４】本発明の第一の実施形態における本発明の装置の構造を示す概略図（Ａは枠体の取付け、Ｂは支持脚部の取付け、Ｃは乳幼児保持器具を取付けた状態を示す）。
【図５】本発明の第二の実施形態における本発明の装置の構造を示す概略図。
【図６】本発明の第三の実施形態における本発明の装置の構造を示す概略図。
【発明を実施するための形態】
【００１０】
本発明は、乳幼児の手洗い時における乳幼児保持器具及びそのような乳幼児保持器具を設置した衛生施設を提供する。なお、本発明において、「手洗い」とは、文字通り手の平や甲、手指等を水洗する作業を言うが、顔、特に口の周囲を洗ったり口内をすすぐ作業も含む。「洗面台」はいわゆる洗面台であり、面部や口内以外に手や腕等の洗浄を行うための、通常は凹部を有する水洗設備全般を指す。また、「衛生施設」とはトイレ、ベビールーム等の乳幼児のケアルーム等を含むほか、例えば、施設の廊下や住宅等の一区画でもよい。
【００１１】
本発明の第一の態様は、(A)背部と座部と手摺り枠と股ガードとを備えてなる乳幼児保持器具と(B)前記乳幼児保持器具を支持する支持体とを含み、前記支持体は前記乳幼児保持器具を第一の位置と第二の位置、及びその間において可動的に支持することを特徴とする乳幼児保持装置である。
【００１２】
ここで、第一の位置とは、典型的には乳幼児保持器具を普段固定しておく基本位置（収納位置）であり、第二の位置とは、典型的には乳幼児に何らかの処置、例えばその手洗いを行うための位置である。以下、第二の位置における処置が乳幼児の手洗いである場合を例にとって説明するが、例えば、衣類の着脱や治療その他の処置を行うものでもよい。
【００１３】
図１は、第一の実施形態における本発明の装置の使用態様を示す概略図である。
図１において、本発明の装置１０は、乳幼児保持器具２０と支持体４０を含んでおり、乳幼児保持器具２０は背部２２、座部２４、手摺り枠２６及び股ガード２８を含む。支持体４０は枠体４２と、枠体４２内の一辺かまたはこれに平行な方向に設けられた軌道レール４４（図１では枠体４２の一辺として示す）及び軌道レール４４に案内されて動き得るように設けられた支持脚部４６を含む。支持脚部４６は、下面に車輪４７を有する。
【００１４】
乳幼児保持装置は、図１（Ａ）に示す第一の位置（基本位置）においては、図に示すように背部２２と座部２４、手摺り枠２６及び股ガード２８とで囲まれる内部空間に乳幼児を挿入し保持する。例えば、トイレ等においては、親は乳幼児を乳幼児保持器具２０に保持した状態で用を足すことができる（乳幼児の手洗いのみに使用してもよい）。次いで、自ら手洗いをした後、図１（Ｂ）に示すように乳幼児保持器具２０に乳幼児を載せたままスライドさせ、図１（Ｃ）の第二位置まで移動させる。しかる後、図２に示すように、乳幼児保持器具２０に乳幼児を載せたまま、乳幼児の手が洗面台９０上に届くように適当な角度回転させ、蛇口９２を用いて乳幼児の手洗いを実行する。蛇口９２は、好ましくは、シャワー等にあるような延長引出部を有する。手洗い後は、上記と逆の手順により乳幼児保持装置を基本位置まで戻し乳幼児を取り出す。
【００１５】
乳幼児保持器具２０の一例を図３に示す。図３（Ａ）に示すように、座部２４が背部２２に対面するように折り込み可能としてもよい。この構成を取れば、不使用時はこの状態で保持し全体として空間に占める体積を小さくできる。使用時には、座部２４を降ろして図３（Ｂ）に示す展開状態とする（図１及び図２では、展開状態で乳幼児を載せている）。手摺り枠２６の回動と座部２４の回動とが股ガード２８を介して連動する構造が好ましい。なお、乳幼児保持器具２０は上記の動きを妨げない限りにおいて既存の種々の構成を取ることができる。
【００１６】
本発明の乳幼児保持装置、特に支持体４０は上記の一連の動きを実現できる構造すべてを含むが、例えば、図２に示すように、乳幼児の手洗い時に支持脚部４６全体が乳幼児保持器具２０とともに回転する場合の構成例について、装置の取り付けに即して各部の機能及び構造を説明すると（図４）、まず、図４（Ａ）に示すように、枠体４２をボルト等の固定具（図示していない。）により、洗面台９０近傍の壁面Ｗに固定する。
【００１７】
次に、図４（Ｂ）に示すように、支持脚部４６の裏側に設けた鉤状部５０の屈曲部分が軌道レール４４を握持するように支持脚部４６を枠体４２に取り付ける。この際、支持脚部４６の車輪４７が床面Ｆに接地し支持脚部４６が軌道レール４４と車輪４７の両者により確実に支持されるように、枠体４２と支持脚部４６の位置関係を調整する。支持脚部４６と軌道レール４４との接触は、支持脚部４６本体に貫通孔を設け、これに軌道レール４４を通すように構成してもよい（この形態は図示していない。）
【００１８】
支持脚部４６は、表側（以下、「前部」という。）４６ａと裏側（以下、「後部」という。）４６ｂの二重構造を蝶番構造とラッチ手段で一体化したもので（図２参照）、前部４６ａの上部には金属体５２と金属柱５４が突出している。金属体５２としては、平板上の金属板を図示しているが、強度を持たせるために断面が例えばコの字状に屈曲したものでもよいし、複数の円柱を並べたものでもよい。
【００１９】
次いで、図４（Ｃ）に示すように、支持脚部４６の上面に載るように構成された乳幼児保持器具２０を設置する。乳幼児保持器具２０の背部２２は、支持脚部前部４６ａの上部に設けられた金属体５２と金属柱５４が挿入され得るような空洞を有する。しかる後、ボルト（図示していない。）等で金属体５２を乳幼児保持器具２０に固定して支持脚部前部４６ａと乳幼児保持器具２０とを一体化する。
【００２０】
支持脚部４６の移動は軌道レール４４と車輪４７の両者により行われる。支持脚部４６は全重量が車輪４７によって担われ、軌道レール４４は案内手段としてのみ機能するのが好ましいが、支持脚部４６と軌道レール４４との間にベアリング等の摺動補助手段を設け軌道レール４４にも実質的な重量を担持させてもよい。車輪４７は通常、ショッピングカート等で用いられるゴムまたはプラスチックを利用できる。床面Ｆに軌道を設け、その中または上を金属製等の車輪で移動する構成でもよい。
【００２１】
蝶番構造は、一般的な蝶番と同様に金属柱と握持体からなる。例えば、金属柱を支持脚部後部４６ｂに固定し、握持体は支持脚部前部４６ａに固定して、握持体が金属柱を握持して回転するようにするが、支持脚部前部４６ａを回転可能に軸支する構造であれば他の構造でもよい。例えば、支持脚部後部４６ｂを少なくとも部分的に中空の枠体構造として、金属柱を垂直に保ったままその内部においてスライドさせる構造とし、支持脚部前部４６ａの回転時には、支持脚部前部４６ａを支持脚部後部４６ｂに対してスライドさせ、例えば、支持脚部後部４６ｂの中央部付近を軸として回転するように構成してもよい。
【００２２】
図の例では、蝶番構造４８は支持脚部４６の一方の端部に固定されており、ラッチ手段を外すことにより、乳幼児保持器具２０ごと支持脚部前部４６ａが回転する。図に示すように、回転が所定の角度を超えないようにストッパー５０を設けることが好ましい。なお、ラッチ手段は、例えば、支持脚部後部４６ｂの側面に設けた突起と支持脚部前部46ａに設けた掛け金で構成できるが、任意の解除可能な係止手段を用いることができ、機械的手段のほかに電磁的なものでもよい。また、機械的に、あるいはセンサー等を設けて、乳幼児が保持されていない場合や移動中にはラッチ手段が解除されない構造としてもよい。
【００２３】
かくして、乳幼児保持器具２０を安全に回転させ、洗面台９０にて手洗いを行うことができる。
【００２４】
上に説明した第一の実施形態では、支持脚部４６を必須の構成要素として含んでいたが、第二の実施形態としては、支持脚部４６を含まない形態も挙げられる。これは図５に示すように、支持体４０が枠体４２と軌道レール４４及び軌道レール４４に案内されて動き得るように設けられた支持腕部６０を含む。ここで、乳幼児保持器具を上記と同様に、背部、座部、手摺り枠及び股ガードで構成した場合、例えば、背部を前部と後部、座部を上部と下部とから構成し、前部を座部上部と、後部を座部下部と一体とし、前者を第一の実施形態で説明したのと同様の蝶番構造により後者に軸支する。
【００２５】
第二の実施形態がさらに変形可能であることは容易に理解されるであろう。例えば、脚部も腕部も設けず、乳幼児保持器具２０を枠体４２の上部を前面に突出させて、これに乳幼児保持器具２０が跨座する構成も可能である。
【００２６】
なお、以上の説明では、枠体４２は壁面に外付けする構成としていたが、これは施工上、現状の洗面所等に容易に設置し得ることを考慮したものであり、枠体４２の全部または一部を壁面内に埋め込むことも可能である。壁面埋め込み型の枠体の場合は、カーテンレール状の溝構造とし、乳幼児保持器具や支持脚部から、例えばＴ字を横倒した形状の突起を背面に突出させ、これを前記溝構造で支持することが好ましい。また、支持脚部４６の厚みをより大きくとり自立して移動可能なものとしてもよい。この場合は、脚部４６自体を回転できるようにすれば、脚部４６と幼児用保持器具２０を完全に一体に構成することも可能である。但し、この場合でも、壁面に設けた摺動部材や壁面を起点とする繋留手段（紐、チェーン、蛇腹構造、複数の金属辺をマジックハンド状に組み合わせた折り畳み手段、望遠鏡構造等）によって係止することが好ましい。あるいは、床面に軌道を設けて、その上のみを装置が移動できるようにしてもよい。かかる手段を付設することにより、移動式の幼児用保持器具２０が転倒したり洗面所から持ち去られるのを防止できる。
【００２７】
さらに、第三の実施形態としては、図６に示すように、支柱７０を中心に軸回転する構造としてもよい。図では支持脚部を有する構造を示すが、これも、例えば、図５に示すような空中での支持構造としてもよい。さらに、第四の実施形態としては、洗面所の天井に支持体を設け、ここから幼児用保持器具２０を懸垂してもよい。支持体としては、天井自体に埋め込んだ、あるいは天井近傍に設けたレール手段とレール上またはレール内に滑動可能に設けられた滑動手段が挙げられる。これは、懸垂物を所定の軌道に沿って移動させ得る任意の構造を含み、例えば、カーテンレールとこれに係合して滑動する吊り具のような組み合わせや、懸架式クレーンのようなホイスト、ジブクレーンのような回動構造が挙げられる。
【００２８】
なお、以上のいずれの態様においても、垂直方向の移動機構をさらに付加することもできる。このような例としては、ラック・アンド・ピニオンとラッチを含む上下位置調整手段、事務用椅子等の高さ調整に慣用されている圧縮空気パイプを用いた上下位置調整手段、モーター等の電磁的方法による上下位置調整手段が挙げられる。このような上下位置調整手段を設けることにより、乳幼児の体型に応じて手洗い時の高さを最適化できる。
【００２９】
また、乳幼児保持器具の構造や材質に関しては、本発明の目的に反しない限り特に限定されない。上記の説明において金属として挙げた部分は鉄やステンレス鋼等の剛性金属を用いることが好ましいが、安全性に問題がなければ、セラミックや硬質プラスチック等でもよい。その他の部品や部材（例えば、車輪）の構造は、慣用のすべての構造や材料を用いることができる。また、直線・直角状として描いている部分に曲率を付与すれば、安全性やデザイン性を高めることができる。
【００３０】
さらに、本発明は上述した乳幼児保持装置を備えた衛生施設を提供する。ここで、衛生施設とは、トイレやケアルームのほか、乳幼児の手洗いを実施するすべての場所を含み、上述の乳幼児保持装置を設置したものである。
【産業上の利用可能性】
【００３１】
本発明は、典型的には、乳幼児の手洗いを実施する際、乳幼児を安全に洗面台近傍に移動させ保持する椅子状器具及びこれを備えた衛生施設であるが、乳幼児をケアするために一人または少人数で移動させる必要がある場合には広く利用できる。また、以上の説明では乳幼児の手洗いに限定して説明したが、施設の廊下や住宅等の一区画において乳幼児を移動させる際に用いることもできる。
【符合の説明】
【００３２】
１０：本発明の装置、２０：乳幼児保持器具、２２：背部、２４：座部、２６：手摺り枠。２８：股ガード、４０：支持体、４４：軌道レール、４６：支持脚部、４６ａ：支持脚部前部、４６ｂ：支持脚部後部、４７：車輪、５０：ストッパー、６０：支持腕部、７０：支柱、９０：洗面台、９２：蛇口
【図１】
2010279613.tif 000003
【図２】
2010279613.tif 000004
【図３】
2010279613.tif 000005
【図４】
2010279613.tif 000006
【図５】
2010279613.tif 000007
【図６】
2010279613.tif 000008